(57)【要約】【課題】緑化用ネットを応用してテラスなどの屋外に壁面を構成することで、適度な採光が得られ、通風性に優れ、日陰を提供することができるとともに、メンテナンス性に優れた屋外空間構造を提供する。【解決手段】屋外に架設される梁２０と、前記梁２０の下面に取り付けられるホースカバー２１と、前記ホースカバー２１の内部に収容される潅水ホース３２と、前記梁２０に上端を固定されて張設される緑化用ネット３５と、を備えた。前記ホースカバー２１には前記潅水ホース３２から供給された水分を滴下させるための開口２１ａを下方に向けて設けた。前記緑化用ネット３５を前記開口２１ａの垂直下方に延在するように斜めに配置した。【選択図】図１
2012120512.tif 000002
【特許請求の範囲】
【請求項１】
屋外に架設される梁と、
前記梁の下面に取り付けられるホースカバーと、
前記ホースカバーの内部に収容される潅水ホースと、
前記梁に上端を固定されて張設される緑化用ネットと、
を備え、
前記ホースカバーには前記潅水ホースから供給された水分を滴下させるための開口が下方に向けて設けられ、
前記緑化用ネットは前記開口の垂直下方に延在するように斜めに配置されることを特徴とする、屋外空間構造。
【請求項２】
前記ホースカバーの内部には透水可能な受け材が前記開口を塞ぐように配置され、
前記潅水ホースは前記受け材の上に載置されることを特徴とする、請求項１記載の屋外空間構造。
【請求項３】
前記ホースカバーは、少なくとも、前記梁に固定される第１カバー材と、前記第１カバー材に取り外し可能に固定される第２カバー材と、を備え、
前記第２カバー材を前記第１カバー材から取り外すことで、前記潅水ホースの収容部を開放可能であることを特徴とする、請求項１又は２記載の屋外空間構造。
【請求項４】
前記梁は、両端に設けられた端部柱と、前記端部柱の間に配置された中間柱と、で支持され、
前記中間柱の内部に前記潅水ホースに水を供給するための給水ホースを収容したことを特徴とする、請求項１〜３のいずれかに記載の屋外空間構造。
【請求項５】
前記中間柱を土台に固定するための下部固定ブラケットを備え、
前記下部固定ブラケットには、前記中間柱をボルトで固定するための長孔が上下方向に延設され、この長孔の上端付近において前記中間柱を固定したときに、前記中間柱と土台との間に間隙が生まれることを特徴とする、請求項４記載の屋外空間構造。
【請求項６】
屋外に張り出した天井面に貼り付けられる板状材と、
前記板状材に形成された溝部に嵌め込まれるレール材と、
前記レール材に取り付けられるフック部品と、
前記梁に固定されるロールスクリーンと、
を備え、
前記ロールスクリーンは、前記レール材と平行に前記梁に固定されるフレームと、前記フレームに収容されるスクリーンと、前記スクリーンの端部に取り付けられる留具と、を備え、
前記スクリーンを前記フレームから引き出すとともに、前記留具を前記フック部品に掛け止めすることで、前記スクリーンを天幕状に張設可能であることを特徴とする、請求項１〜５のいずれかに記載の屋外空間構造。
【発明の詳細な説明】
【技術分野】
【０００１】
この発明は、屋外に設置される屋外空間構造に関し、具体的には、緑化用ネットと潅水装置を備えた屋外空間構造に関するものである。
【背景技術】
【０００２】
従来、気温を調整し、景観を向上させるといった目的のため、緑化用ネット等を使用して建物の周囲を緑化することが行われている。例えば、特許文献１に開示されている発明では、建物の壁面に緑化用ネットを取り付け、この緑化用ネットに植物を絡ませて緑化を行うこととしている。
【先行技術文献】
【特許文献】
【０００３】
【特許文献１】特開２００８−７９５１９号公報
【発明の概要】
【発明が解決しようとする課題】
【０００４】
本発明は、上記したような緑化用ネットを応用してテラスなどの屋外に壁面を構成することで、適度な採光が得られ、通風性に優れ、日陰を提供することができるとともに、メンテナンス性に優れた屋外空間構造を提供することを課題とする。
【課題を解決するための手段】
【０００５】
本発明は、上記した課題を解決するためになされたものであり、以下を特徴とする。
【０００６】
（請求項１）
請求項１に記載の発明は、以下の点を特徴とする。
【０００７】
すなわち、請求項１に記載の屋外空間構造は、屋外に架設される梁と、前記梁の下面に取り付けられるホースカバーと、前記ホースカバーの内部に収容される潅水ホースと、前記梁に上端を固定されて張設される緑化用ネットと、を備え、前記ホースカバーには前記潅水ホースから供給された水分を滴下させるための開口が下方に向けて設けられ、前記緑化用ネットは前記開口の垂直下方に延在するように斜めに配置されることを特徴とする。
【０００８】
（請求項２）
請求項２に記載の発明は、上記した請求項１記載の発明の特徴点に加え、以下の点を特徴とする。
【０００９】
すなわち、前記ホースカバーの内部には透水可能な受け材が前記開口を塞ぐように配置され、前記潅水ホースは前記受け材の上に載置されることを特徴とする。
【００１０】
（請求項３）
請求項３に記載の発明は、上記した請求項１又は２記載の発明の特徴点に加え、以下の点を特徴とする。
【００１１】
すなわち、前記ホースカバーは、少なくとも、前記梁に固定される第１カバー材と、前記第１カバー材に取り外し可能に固定される第２カバー材と、を備え、前記第２カバー材を前記第１カバー材から取り外すことで、前記ホースカバーの収容部を開放可能であることを特徴とする。
【００１２】
（請求項４）
請求項４に記載の発明は、上記した請求項１〜３のいずれかに記載の発明の特徴点に加え、以下の点を特徴とする。
【００１３】
すなわち、前記梁は、両端に設けられた端部柱と、前記端部柱の間に配置された中間柱と、で支持され、前記中間柱の内部に前記潅水ホースに水を供給するための給水ホースを収容したことを特徴とする。
【００１４】
（請求項５）
請求項５に記載の発明は、上記した請求項４記載の発明の特徴点に加え、以下の点を特徴とする。
【００１５】
すなわち、前記中間柱を土台に固定するための下部固定ブラケットを備え、前記下部固定ブラケットには、前記中間柱をボルトで固定するための長孔が上下方向に延設され、この長孔の上端付近において前記中間柱を固定したときに、前記中間柱と土台との間に間隙が生まれることを特徴とする。
【００１６】
（請求項６）
請求項６に記載の発明は、上記した請求項１〜５のいずれかに記載の発明の特徴点に加え、以下の点を特徴とする。
【００１７】
すなわち、屋外に張り出した天井面に貼り付けられる板状材と、前記板状材に形成された溝部に嵌め込まれるレール材と、前記レール材に取り付けられるフック部品と、前記梁に固定されるロールスクリーンと、を備え、前記ロールスクリーンは、前記レール材と平行に前記梁に固定されるフレームと、前記フレームに収容されるスクリーンと、前記スクリーンの端部に取り付けられる留具と、を備え、前記スクリーンを前記フレームから引き出すとともに、前記留具を前記フック部品に掛け止めすることで、前記スクリーンを天幕状に張設可能であることを特徴とする。
【発明の効果】
【００１８】
請求項１に記載の発明は上記の通りであり、緑化用ネットで壁面が構成されているため、植物の隙間から適度な採光と通風が得られる。また、夏季においては植物が繁茂するので、これにより日陰を提供することができ、周囲の温度を低下させることができる。
【００１９】
しかも、ホースカバーに潅水ホースから供給された水分を滴下させるための開口が下方に向けて設けられており、緑化用ネットは前記開口の垂直下方に延在するように斜めに配置されている。このため、斜めに配置された緑化用ネットの上に潅水ホースによって水分が供給されるように形成されており、自動的に水遣りができるので、植物のメンテナンスの手間を省くことができる。また、緑化用ネットに給水が行われることで、緑化用ネットを通過する空気が冷却されるので、夏季において周囲の気温を低下させることもできる。
【００２０】
また、請求項２に記載の発明は上記の通りであり、前記ホースカバーの内部には透水可能な受け材が前記開口を塞ぐように配置され、前記潅水ホースは前記受け材の上に載置されている。このため、潅水ホースから供給された水分は受け材を介して滴下されることとなり、水分が開口の縁を伝って流れてしまうことがなく、確実に開口下の緑化用ネットに滴下させることができる。
【００２１】
また、請求項３に記載の発明は上記の通りであり、前記ホースカバーは、少なくとも、前記梁に固定される第１カバー材と、前記第１カバー材に取り外し可能に固定される第２カバー材と、を備え、前記第２カバー材を前記第１カバー材から取り外すことで、前記ホースカバーの収容部を開放可能とした。このため、潅水ホースのメンテナンスを行う場合には、第２カバー材を取り外すだけで良く、容易にメンテナンスを行うことができる。
【００２２】
また、請求項４に記載の発明は上記の通りであり、前記梁は、両端に設けられた端部柱と、前記端部柱の間に配置された中間柱と、で支持され、前記中間柱の内部に前記潅水ホースに水を供給するための給水ホースを収容した。このため、給水ホースが外部に露出せず、見栄えをよくすることができる。
【００２３】
また、請求項５に記載の発明は上記の通りであり、前記中間柱を土台に固定するための下部固定ブラケットを備え、前記下部固定ブラケットには、前記中間柱をボルトで固定するための長孔が上下方向に延設され、この長孔の上端付近において前記中間柱を固定したときに、前記中間柱と土台との間に間隙が生まれるようにした。このため、ボルトを緩めて中間柱を下方にずらすことで、端部柱及び端部柱に架設された梁を移動することなく中間柱を取り外すことができ、潅水ホースや、中間柱の内部に収容された給水ホースのメンテナンスを行うことができる。
【００２４】
また、請求項６に記載の発明は上記の通りであり、スクリーンをフレームから引き出すとともに、留具をフック部品に掛け止めすることで、スクリーンを天幕状に張設可能とした。このため、梁や緑化用ネットが設けられた屋外空間（テラスなど）の上にスクリーンを張設することで日陰を作ることができる。
【００２５】
しかも、フック部品の荷重がかかるレール材は、屋外に張り出した天井面に貼り付けられる板状材に形成された溝部に嵌め込まれるものであるため、スクリーンを保持する構造をすべて取り換えなくても、レール材のみを交換することで、容易にメンテナンスを行うことができる。
【図面の簡単な説明】
【００２６】
【図１】屋外空間構造の側方から見た図である。
【図２】屋外空間構造の正面から見た図である。
【図３】屋外空間構造における梁付近を側方から見た一部拡大断面図である。
【図４】中間柱の（ａ）平面図、（ｂ）正面図、（ｃ）側面図、である。
【図５】ホースカバーを示す図であって、（ａ）第１カバー材の側面図、（ｂ）第１カバー材の底面図、（ｃ）第２カバー材の側面図、（ｄ）第２カバー材の底面図、（ｅ）ホースカバーの側面図、（ｆ）ホースカバーの底面図、である。
【図６】潅水ホース及び給水ホースの設置方法を示す説明図である。
【図７】中間柱の下部付近を正面から見た断面図である。
【図８】中間柱の下部付近を側方から見た断面図である。
【図９】ロールスクリーンの（ａ）平面図、（ｂ）正面図、（ｃ）側面図、である。
【図１０】スクリーン保持部を側方から見た断面図であって、（ａ）フック部品を取り付ける前の図、（ｂ）フック部品を取り付けた後の図、である。
【図１１】スクリーン保持部の底面図である。
【図１２】フック部品の（ａ）正面図、（ｂ）側面図、（ｃ）底面図、である。
【図１３】底板の（ａ）正面図、（ｂ）底面図、である。
【発明を実施するための形態】
【００２７】
本発明の実施形態について、図を参照しながら説明する。
【００２８】
本実施形態に係る屋外空間構造は、図１に示すように、建物１０の屋外に形成されたテラス１１に連続するように構成されるものである。
【００２９】
この屋外空間構造は、図１及び図２に示すように、両端に設けられる端部柱３０と、この端部柱３０の間に配置された中間柱３１と、端部柱３０の間に架設される梁２０と、前記梁２０の下面に取り付けられるホースカバー２１と、前記梁２０に上端を固定されて張設される緑化用ネット３５と、前記梁２０に固定されるロールスクリーン５０と、建物１０の天井面１２に設けられたスクリーン保持部５６と、を備えている。
【００３０】
端部柱３０は、梁２０の両端を支持するためのものであり、アルミの押し出し型材にて成型される柱材である。この端部柱３０は、図１に示すように、２本の端部柱３０が、建物１０の天井面１２とほぼ同じ高さで、建物１０の壁面と対向するように設けられる。
【００３１】
中間柱３１は、梁２０の中間部を支持するものであり、アルミの押し出し型材にて成型される柱材である。本実施形態においては、この中間柱３１は、両端の端部柱３０の間に２本設けられている。
【００３２】
この中間柱３１は、図４に示すように、上下端が開口した中空材であり、内部に給水ホース３３（後述）を収容することができるようになっている。また、この中間柱３１の上端付近には、後述する潅水ホース３２を貫通させるためのホース孔３１ｃが、両側部の対向位置に形成されている。
【００３３】
更に、この中間柱３１の上端付近には、上部取付孔３１ａが貫通形成されている。この上部取付孔３１ａは、中間柱３１の上部を梁２０に取り付けるためのものである。具体的には、中間柱３１は、梁２０に固定された断面コ字状の取付ブラケット（図示せず）に組み合わされた上で、前記上部取付孔３１ａを使用して取付ブラケットにネジ止めされることで、梁２０に取り付けられる。
【００３４】
また、この中間柱３１の下端付近には、下部取付孔３１ｂが貫通形成されている。この下部取付孔３１ｂは、中間柱３１の下部を中間柱固定ブロック３６に固定するためのものである。具体的には、中間柱３１は、中間柱固定ブロック３６に固定された下部固定ブラケット４１（後述）に挟み込まれた上で、前記下部取付孔３１ｂを使用して下部固定ブラケット４１にネジ止めされることで、中間柱固定ブロック３６に固定される。
【００３５】
このように梁２０と中間柱固定ブロック３６との間に固定された中間柱３１は、前述した両側のホース孔３１ｃが梁２０の長手方向に連設されるように配置され、これにより、両側のホース孔３１ｃが後述するホースカバー２１の端部に臨むようになっている。
【００３６】
梁２０は、端部柱３０の間に架設されて、端部柱３０及び中間柱３１に支持されるものであり、アルミの押し出し型材にて成型される柱材である。この梁２０の下面には、図３に示すように、ホースカバー２１、ネット吊具２６、スクリーン取付ブラケット２７が取り付けられている。
【００３７】
ホースカバー２１は、潅水ホース３２を内部に収容するためのものであり、図５に示すように、前記梁２０に固定される第１カバー材２２と、前記第１カバー材２２に取り外し可能に固定される第２カバー材２３と、の２種類の金属部材を組み合わせて構成されるものである。
【００３８】
このうち、第１カバー材２２は、図５（ａ）（ｂ）に示すように、結合孔２２ｂが形成された結合板部２２ａと、この結合板部２２ａの端縁から連続する鉤状の収容形成部２２ｃと、からなる金属製の部材である。なお、収容形成部２２ｃの天板には取付孔２２ｄが貫通形成されており、この第１カバー材２２を梁２０の底面に固定する際には、この取付孔２２ｄを使用してネジ止めする。
【００３９】
また、第２カバー材２３は、図５（ｃ）（ｄ）に示すように、結合孔２３ｂが形成された結合板部２３ａと、この結合板部２３ａの端縁から連続するＬ字状の収容形成部２３ｃと、からなる金属製の部材である。
【００４０】
この第１カバー材２２と第２カバー材２３とをホースカバー２１として使用する際には、図５（ｅ）（ｆ）に示すように、第１カバー材２２の結合孔２２ｂと、第２カバー材２３の結合孔２３ｂと、を貫通する結合ネジ２４によって互いに締め付け固定する。これにより、第１カバー材２２の収容形成部２２ｃと、第２カバー材２３の収容形成部２３ｃと、によって収容部２１ｂが形成され、この収容部２１ｂの内部に潅水ホース３２を通すことができるようになっている。なお、この収容部２１ｂは、完全に閉じた管状ではなく、第１カバー材２２の端縁と第２カバー材２３の端縁との間に間隙が形成され、これにより下方に向けて全長に渡る開口２１ａが形成されるようになっている。
【００４１】
このように形成されるホースカバー２１は、図３に示すように、前記した開口２１ａが下方を向くように梁２０に固定され、その内部に潅水ホース３２及び受け材２５が収容される。
【００４２】
このうち、受け材２５は、樹脂で形成された透水性を有する部材であり、ホースカバー２１の全長に渡って前記開口２１ａを塞ぐように配置される。
【００４３】
また、潅水ホース３２は、全長に渡って等間隔に設けられたエミッターから少しずつ水が滴下されることにより、少しずつ散水を行うものであり、前記受け材２５の上に載置されて前記収容部２１ｂ内に配置される。
【００４４】
このため、潅水ホース３２から水分が供給されると、この水分は受け材２５に浸透し、受け材２５に浸透した水分が開口２１ａから滴下されるように形成されている。
【００４５】
なお、図３に示すように、第２カバー材２３は梁２０に固定されておらず、かつ、第２カバー材２３がホースカバー２１の収容部２１ｂの一部を構成しているため、第２カバー材２３を第１カバー材２２から取り外すことで、ホースカバー２１の収容部２１ｂを開放可能となっている。このため、第２カバー材２３を取り外すことで、潅水ホース３２を露出させ、メンテナンスを行うことができる。
【００４６】
このホースカバー２１は、図６に示すように、隣接する端部柱３０と中間柱３１との間、及び、隣接する中間柱３１と中間柱３１との間になるべく隙間なく設けられる。本実施形態においては、２本の中間柱３１を挟んで３本のホースカバー２１が配置されている。そして、この３本のホースカバー２１すべてを横断するように１本の潅水ホース３２が設けられる。すなわち、一方の端部柱３０に臨むホースカバー２１の端部から他方の端部柱３０に臨むホースカバー２１の端部に至るまで１本の潅水ホース３２が延在するようになっている。なお、潅水ホース３２の両側の端部３２ａには、エンドプラグ（図示せず）が装着されてキャップされており、水が漏れないようになっている。なお、各ホースカバー２１の間には中間柱３１が存在するが、この中間柱３１には前述したホース孔３１ｃが設けられているため、潅水ホース３２はこのホース孔３１ｃを貫通するようになっており、中間柱３１が潅水ホース３２の邪魔にならないようになっている。
【００４７】
しかも、ホース孔３１ｃを貫通することで潅水ホース３２は中間柱３１の内部を通過することになるが、この潅水ホース３２への給水は、この中間柱３１の内部において給水ホース３３によって行われる。給水ホース３３は、水道から給水された水を潅水ホース３２へと供給するためのものであり、図６に示すように、中間柱３１の内部に収容され、上端において潅水ホース３２と接続している。本実施形態においては、この接続部がＴ字状の分岐部３４を形成しており、端部柱３０の側に設けられた潅水ホース３２へも給水ができるようになっている。
【００４８】
緑化用ネット３５は、ツタなどの植物を絡ませて繁茂させるための網であり、図１に示すように、上記したネット吊具２６に上端が吊り下げられることにより前記梁２０に固定されるとともに、下端はネット固定ブロック３８に打ち込まれたコンクリートリング３９を介してネット固定ブロック３８に固定されている。なお、ネット固定ブロック３８は、地中に埋め込まれたコンクリート製の石材である。
【００４９】
この緑化用ネット３５は、図１及び図３に示すように、上端がホースカバー２１の開口２１ａよりも建物１０側に配置されるとともに、下端がホースカバー２１の開口２１ａよりも反建物１０側に配置されるように、やや斜めに張設される。これにより、緑化用ネット３５は、ホースカバー２１の開口２１ａの垂直下方に延在するように斜めに配置されている。
【００５０】
ロールスクリーン５０は、アルミ製のフレーム５１に布地のスクリーン５３を巻取り収容し、必要な時にフレーム５１からスクリーン５３を引き出すことができるものであり、図９に示すように、上記したフレーム５１と、フレーム５１の両端に取り付けられたサイドブラケット５２と、サイドブラケット５２間に回転可能に支持された巻取りパイプ（図示せず）と、巻取りパイプによって巻き取り可能なスクリーン５３と、を備えている。スクリーン５３の端部５３ａにはボトムバー５４が設けられ、このボトムバー５４には鉤状の留具５５が取り付けられている。
【００５１】
なお、フレーム５１の上部は、やや突出して固定部５１ａを形成しており、この固定部５１ａが上述したスクリーン取付ブラケット２７に嵌合してネジ固定されることで、このロールスクリーン５０は梁２０に固定される。
【００５２】
図１に示すように、建物１０の天井面１２には、このロールスクリーン５０と対向するようにスクリーン保持部５６が設けられている。このスクリーン保持部５６は、上述したロールスクリーン５０の留具５５を掛け止めするためのものである。このスクリーン保持部５６は、図１０に示すように、屋外に張り出した天井面１２に貼り付けられる板状材５７と、前記板状材５７に形成された溝部５７ａに嵌め込まれるレール材５８と、前記レール材５８に取り付けられるフック部品５９と、前記フック部品５９を前記レール材５８に取り付けるための底板６０と、を備えている。
【００５３】
板状材５７は、図１０（ａ）に示すように、短手方向中央が全長に渡って凹陥して溝部５７ａを形成する金属製の板部材であり、溝部５７ａが天井面１２に形成された隙間に嵌り込むように天井面１２に貼設される。なお、溝部５７ａを受ける天井側の接触面にはスペーサー６２が設けられている。
【００５４】
レール材５８は、前記した溝部５７ａに嵌め込まれる長尺の金属部材であり、図１０（ａ）に示すように、その断面がコ字形の両端を略直角に内側に屈折させた形状となっている。このコ字形の両端を略直角に内側に屈折させた縁部が、後述するフック部品５９と底板６０とで挟持される被挟持部５８ａを形成しており、両側の被挟持部５８ａの間には開口５８ｂが設けられている。
【００５５】
フック部品５９は、ロールスクリーン５０のスクリーン５３の端部５３ａの留具５５を掛け止めするための金属部材であり、図１２に示すように、平坦な板部５９ａと、この板部５９ａの下方に一体的に接合されたＵ字形のフック部５９ｃと、からなる。板部５９ａには、取付孔５９ｂが設けられている。
【００５６】
底板６０は、上記したフック部品５９を前記レール材５８に取り付けるためのものであり、図１３に示すように、平坦な板状部材であり、前記したフック部品５９の取付孔５９ｂと対向する位置に取付孔６０ａを有している。
【００５７】
上記したフック部品５９及び底板６０は、図１０（ｂ）及び図１１に示すように、底板６０が上方から、フック部品５９が下方から、それぞれ前記被挟持部５８ａを挟み込み、挟み込んだ状態で留めネジ６１で互いに締め付け固定されることでレール材５８に固定される。これにより、天井面１２の下方にフック部５９ｃを突出させた状態でフック部品５９が取り付けられる。
【００５８】
このようにフック部品５９を取り付けることで、前述したスクリーン５３をロールスクリーン５０のフレーム５１から引き出すとともに、スクリーン５３の端部５３ａの留具５５をフック部品５９のフック部５９ｃに掛け止めすることで、図１に示すように、テラス１１の上方に天幕状にスクリーン５３を張設することができる。なお、スクリーン５３を使用しない場合には、留具５５をフック部品５９のフック部５９ｃから外し、フレーム５１に収容すればよい。
【００５９】
ところで、上記したように、本実施形態に係るホースカバー２１は、第２カバー材２３を取り外すことで収容部２１ｂを開放可能となっているため、第２カバー材２３を取り外すことで潅水ホース３２のメンテナンスを行うことができるようになっている。この第２カバー材２３の取り外しに加え、本実施形態に係る屋外空間構造においては、中間柱３１を動かすことで更に全体的なメンテナンスすることもできる。
【００６０】
具体的には、中間柱３１は、図７及び図８に示すように、両側に設けられた２つの下部固定ブラケット４１によって中間柱固定ブロック３６に固定されている。
【００６１】
中間柱固定ブロック３６は、セメント等の石材で構成されたブロックであり、地中に埋め込まれて中間柱３１の土台を構成する。
【００６２】
また、下部固定ブラケット４１は、図７及び図８に示すように、中間柱固定ブロック３６の上面に固定される底板部４１ａと、中間柱３１の側面に固定される立設部４１ｃと、からなるＬ字形の金属製の部材である。この下部固定ブラケット４１は、底板部４１ａに設けられた固定孔４１ｂを貫通するメタルアンカー３７によって中間柱固定ブロック３６に固定されるとともに、立設部４１ｃに上下方向に延設された長孔４１ｄを貫通するボルト４０によって中間柱３１に固定され、中間柱固定ブロック３６に対して中間柱３１を固定する。
【００６３】
このとき、中間柱３１は、図７及び図８に示すように、中間柱３１の上端が梁２０に固定されたときに、長孔４１ｄの上端付近において下部固定ブラケット４１にボルト４０でねじ固定されるようになっており、中間柱固定ブロック３６の上面から浮いた位置で固定されるようになっている。このため、中間柱３１と中間柱固定ブロック３６との間に間隙が生まれている。ここで、下部固定ブラケット４１の下端から長孔４１ｄまでの距離は、中間柱３１の下端から下部取付孔３１ｂまでの距離よりも小さいか、少なくとも等しく形成されている。このため、ボルト４０を緩めることで、長孔４１ｄに沿ってボルト４０を摺動させ、中間柱３１を下部固定ブラケット４１に対して下方向に移動させることができる。具体的には、上部取付孔３１ａのネジ止めを解除し、ボルト４０を緩めると、中間柱３１は、自重により中間柱固定ブロック３６の上面に当接する位置まで長孔４１ｄにガイドされて落下する。すると、中間柱３１が下に移動したことにより、中間柱３１の上端と梁２０との間に間隙が生まれるため、ボルト４０を完全に外すことで、中間柱３１を斜めにして取り外すことができる。なお、本実施形態においては、中間柱３１の下端部は地中に埋めることとしているため、上記したような中間柱３１の取り外しを行う際には、中間柱３１の下端部付近の土を掘り返して作業を行うこととなる。
【００６４】
以上のように、本実施形態によれば、緑化用ネット３５で壁面が構成されているため、植物の隙間から適度な採光と通風が得られる。また、夏季においては植物が繁茂するので、これにより日陰を提供することができ、周囲の温度を低下させることができる。
【００６５】
しかも、ホースカバー２１に潅水ホース３２から供給された水分を滴下させるための開口２１ａが下方に向けて設けられており、緑化用ネット３５は前記開口２１ａの垂直下方に延在するように斜めに配置されている。このため、斜めに配置された緑化用ネット３５の上に潅水ホース３２によって水分が供給されるように形成されており、自動的に水遣りができるので、植物のメンテナンスの手間を省くことができる。また、緑化用ネット３５に給水が行われることで、緑化用ネット３５を通過する空気が冷却されるので、夏季において周囲の気温を低下させることもできる。
【００６６】
また、前記ホースカバー２１の内部には透水可能な受け材２５が前記開口２１ａを塞ぐように配置され、前記潅水ホース３２は前記受け材２５の上に載置されている。このため、潅水ホース３２から供給された水分は受け材２５を介して滴下されることとなり、水分が開口２１ａの縁を伝って流れてしまうことがなく、確実に開口２１ａ下の緑化用ネット３５に滴下させることができる。
【００６７】
また、前記ホースカバー２１は、少なくとも、前記梁２０に固定される第１カバー材２２と、前記第１カバー材２２に取り外し可能に固定される第２カバー材２３と、を備え、前記第２カバー材２３を前記第１カバー材２２から取り外すことで、前記ホースカバー２１の収容部２１ｂが開放可能である。このため、潅水ホース３２のメンテナンスを行う場合には、第２カバー材２３を取り外すだけで良く、容易にメンテナンスを行うことができる。
【００６８】
また、前記梁２０は、両端に設けられた端部柱３０と、前記端部柱３０の間に配置された中間柱３１と、で支持され、前記中間柱３１の内部に前記潅水ホース３２に水を供給するための給水ホース３３を収容している。このため、給水ホース３３が外部に露出せず、見栄えをよくすることができる。
【００６９】
また、前記中間柱３１を中間柱固定ブロック３６に固定するための下部固定ブラケット４１を備え、前記下部固定ブラケット４１には、前記中間柱３１をボルト４０で固定するための長孔４１ｄが上下方向に延設され、この長孔４１ｄの上端付近において前記中間柱３１を固定したときに、前記中間柱３１と中間柱固定ブロック３６との間に間隙が生まれるようにしている。このため、ボルト４０を緩めて中間柱３１を下方にずらすことで、端部柱３０及び端部柱３０に架設された梁２０を移動することなく中間柱３１を取り外すことができ、潅水ホース３２や、中間柱３１の内部に収容された給水ホース３３のメンテナンスを行うことができる。
【００７０】
また、スクリーン５３をフレーム５１から引き出すとともに、留具５５をフック部品５９に掛け止めすることで、スクリーン５３を天幕状に張設可能としている。このため、梁２０や緑化用ネット３５が設けられたテラス１１の上にスクリーン５３を張設することで日陰を作ることができる。
【００７１】
しかも、フック部品５９の荷重がかかるレール材５８は、屋外に張り出した天井面１２に貼り付けられる板状材５７に形成された溝部５７ａに嵌め込まれるものであるため、スクリーン保持部５６全体を取り換えなくても、レール材５８のみを交換することで、容易にメンテナンスを行うことができる。
【符号の説明】
【００７２】
１０  建物
１１  テラス
１２  天井面
２０  梁
２１  ホースカバー
２１ａ  開口
２１ｂ  収容部
２２  第１カバー材
２２ａ  結合板部
２２ｂ  結合孔
２２ｃ  収容形成部
２２ｄ  取付孔
２３  第２カバー材
２３ａ  結合板部
２３ｂ  結合孔
２３ｃ  収容形成部
２４  結合ネジ
２５  受け材
２６  ネット吊具
２７  スクリーン取付ブラケット
３０  端部柱
３１  中間柱
３１ａ  上部取付孔
３１ｂ  下部取付孔
３１ｃ  ホース孔
３２  潅水ホース
３２ａ  端部
３３  給水ホース
３４  分岐部
３５  緑化用ネット
３６  中間柱固定ブロック（土台）
３７  メタルアンカー
３８  ネット固定ブロック
３９  コンクリートリング
４０  ボルト
４１  下部固定ブラケット
４１ａ  底板部
４１ｂ  固定孔
４１ｃ  立設部
４１ｄ  長孔
５０  ロールスクリーン
５１  フレーム
５１ａ  固定部
５２  サイドブラケット
５３  スクリーン
５３ａ  端部
５４  ボトムバー
５５  留具
５６  スクリーン保持部
５７  板状材
５７ａ  溝部
５８  レール材
５８ａ  被挟持部
５８ｂ  開口
５９  フック部品
５９ａ  板部
５９ｂ  取付孔
５９ｃ  フック部
６０  底板
６０ａ  取付孔
６１  留めネジ
６２  スペーサー
【図１】
2012120512.tif 000003
【図２】
2012120512.tif 000004
【図３】
2012120512.tif 000005
【図４】
2012120512.tif 000006
【図５】
2012120512.tif 000007
【図６】
2012120512.tif 000008
【図７】
2012120512.tif 000009
【図８】
2012120512.tif 000010
【図９】
2012120512.tif 000011
【図１０】
2012120512.tif 000012
【図１１】
2012120512.tif 000013
【図１２】
2012120512.tif 000014
【図１３】
2012120512.tif 000015